(57)【要約】【課題】遊技球がＶ入賞するか否かの結果を予想困難として、遊技者の遊技中の興趣を維持しかつ高揚せしめる遊技機の役物を提供すること。【解決手段】遊技盤の盤面によぎる方向において互いに異なる位置にて遊技球を保持する複数の遊技球保持桶と、遊技盤の盤面をよぎる方向において並置されている遊技球を振り分ける振り分け溝を有する振り分け溝部と、を設け、前記遊技球保持桶から排出された遊技球が振り分け溝部において振り分けられＶ入賞口に嵌入せしめる遊技機の役物。【選択図】図１
2008220401.tif 000002
【特許請求の範囲】
【請求項１】
遊技機の役物であって、
入賞した遊技球を導入する導入部と、
前記導入部に対して移動する複数の遊技球保持桶と、
前記導入部を経由した遊技球を貯留した後に前記遊技球保持桶の各々に順次供給する貯留供給部と、
前記遊技球保持桶の移動経路に沿った位置に設けられて前記遊技球保持桶の各々の姿勢を変更して当該遊技球保持桶に保持された遊技球を排出してこれを振り分けるための少なくとも２つの振り分け溝を有する振り分け溝部と、を有し、
前記遊技球保持桶の少なくとも２つが前記遊技盤の盤面をよぎる方向において互いに異なる位置に前記遊技球を保持し、
前記振り分け溝部が前記遊技盤の盤面をよぎる方向において並置されていることを特徴とする役物。
【請求項２】
前記振り分け溝部の底部断面形状は中央部が高くなっている形状であることを特徴とする請求項１記載の役物。
【請求項３】
前記振り分け溝部の断面形状はその上流において一部に平坦面を有することを特徴とする請求項１又は２記載の役物。
【請求項４】
前記遊技球保持桶の巡回軌跡が環状であることを特徴とする請求項１又は２記載の役物。
【請求項５】
前記遊技球保持桶が回転体上に回転可能に保持されており、
前記振り分け溝部が前記遊技球保持桶を回転させてその姿勢を変えることを特徴とする請求項１乃至３のいずれか１に記載の役物。
【発明の詳細な説明】
【技術分野】
【０００１】
本発明は、遊技機に設けられる役物に関する。
【背景技術】
【０００２】
遊技機として、いわゆる役物を備えるパチンコ機が知られており、次のような構成を有している。
【０００３】
遊技球による遊技が展開される遊技領域を備えた遊技盤を前面に有し、遊技球の遊技領域への打ち出し強度を調整するハンドルや遊技球を収容する受け皿が、かかる遊技盤の下方に設けられている。また、遊技領域は、ガイドレールによって囲繞されており、その略中央部にセンター役物を備えている。センター役物の周囲には、遊技釘、風車及び入賞口等が具備されている。さらに、遊技機は、打撃によって遊技球を遊技領域に打ち出す発射装置を所定の位置に有している。該発射装置は、受け皿から送り出される遊技球を簡易なレール構造を介して順次受け取るべく、一般的に受け皿近傍に設置されている。発射装置に導入された遊技球は、ハンドルで調整された打ち出し強度に応じた速度で打ち出され、ガイドレールに沿って延びる誘導レールを経由し、遊技領域内を乱舞しながら流下する。遊技領域内に打ち出された遊技球が特定の入賞口に入賞すると、センター役物の入口が開く。開口した入口から遊技球がセンター役物内に入ると、かかる遊技球はセンター役物内に設けられた振り分け機構によって、Ｖ入賞口若しくは外れ口に振り分けられる。Ｖ入賞口は大当たりの入賞口であり、Ｖ入賞口に遊技球が入ると多数の賞球が遊技者に払い出される。従って、遊技者の興味を引き付けるために、センター役物について種々の提案がなされてきている。
【０００４】
従来技術文献としては例えば、特許文献１がある。特許文献１には、遊技球を保持する複数の保持部を有しかつ上下移動可能な回転体と、Ｖ入賞口及び通常入賞口を有しかつ回転体を囲繞するように配置された入賞部と、を備える役物が開示されている。特許文献１に開示される役物は、該回転体を設けることにより遊技球を回転体で振り分け、さらに入賞部でも振り分けることが可能となっている。従って、従来の遊技機よりも大当たりするまでの経過が一層趣向性に富んだ態様を遊技者に提示し、遊技者に興味を持たせることが可能となっている。
【特許文献１】特開２００４−２３６８３８号公報
【発明の開示】
【発明が解決しようとする課題】
【０００５】
特許文献１に記載された役物では、回転体に導かれた遊技球をいずれかの保持部に振り分け、さらに回転体が入賞部の高さまで下降すると遊技球が入賞部のＶ入賞口若しくは通常入賞口のいずれかに入賞する。その結果、かかる役物が備えられたパチンコ機を操作する遊技者は、遊技球が回転体に導入される時点で、回転体における遊技球の位置に応じて最終的な振り分け先を予測することが可能となる。
【０００６】
従って、回転体における遊技球の位置が遊技者にとって不利な結果を提供することを遊技者に予想させると、振り分けによる最終結果が得られる前の早期段階で遊技球の振り分けに対する遊技者の関心が失われてしまう。結果的に、遊技に対する興趣が低下していた。
【０００７】
また、特許文献１に記載された役物において、遊技球は回転体及び入賞部の底面に触れたまま回転体等の働きにより、入賞部のＶ入賞口又は通常入賞口に導かれることとなっている。かかる構成では、遊技球が常に回転体等の底面に接触している故、Ｖ入賞口等の設置場所が限られてしまう。よって、役物全体の構成としてのバリエーションには限界があり、従来の役物を単に複雑化させただけの構成になるという問題がある。
【０００８】
本発明は、以上の如き事情に鑑みてなされたものであり、遊技球がＶ入賞するまでかかる結果を予想することが困難となるようにして、遊技者の遊技中の興趣を維持しかつ高揚せしめる遊技機の役物を提供することを目的としている。
【課題を解決するための手段】
【０００９】
上述した課題を解決するために、本発明の役物は、入賞した遊技球を導入する導入部と、前記導入部に対して移動する複数の遊技球保持桶と、前記導入部を経由した遊技球を貯留した後に前記遊技球保持桶の各々に順次供給する貯留供給部と、前記遊技球保持桶の移動経路に沿った位置に設けられて前記遊技球保持桶の各々の姿勢を変更して当該遊技球保持桶に保持された遊技球を排出してこれを振り分けるための少なくとも２つの振り分け溝を有する振り分け溝部と、を有し、前記遊技球保持桶の少なくとも２つが前記遊技盤の盤面をよぎる方向において互いに異なる位置に前記遊技球を保持し、前記振り分け溝部が前記遊技盤の盤面をよぎる方向において並置されていることを特徴とする役物が提供される。
【００１０】
前記振り分け溝部の間の断面形状は、例えば、三角形状の突状であって、その上流において一部平坦面を有する。
【００１１】
前記遊技球保持桶の巡回軌跡は、例えば、環状である。前記遊技球保持桶は、回転体上に回転可能に保持され、前記振り分け溝部が前記遊技球保持桶を回転させてその姿勢を変える。
【発明の効果】
【００１２】
本発明による遊技機の役物によれば、遊技盤の盤面をよぎる方向にそれぞれ異なる位置に遊技球を保持する複数の遊技球保持桶と、２つ以上の溝を有する振り分け溝部と、を有する故、遊技球がＶ入賞するか否かの結果を予想することが困難となり、遊技者の遊技中の興趣を維持しかつ高揚せしめるのである。
【発明を実施するための形態】
【００１３】
以下、本発明の実施例としての役物を含むパチンコ機について、添付図面を参照しつつ詳細に説明する。
【実施例１】
【００１４】
図１から判るように、パチンコ機１０は、本体基部となる本体枠１１と、本体枠１１の内部に配置された遊技盤１２と、遊技盤１２の前方に設けられていて本体枠１１に対して開閉自在な前面枠１３と、を有する。遊技盤１２は、その盤面上にガイドレール１４で囲まれた遊技領域１２aを備えており、かかる遊技領域１２aに向けて遊技球が打ち出される。
【００１５】
前面枠１３の下方には、下扉枠１５が設けられている。下扉枠１５には、遊技者が保有する遊技球を収容する受け皿１５ａが設けられかつ遊技球の発射の制御及び発射強度を制御するためのハンドル１６が設けられている。ハンドル１６は、パチンコ機１０の右側部に配置されておりかつ遊技者が握りやすいように下扉枠１５の表面高さから突出している。ハンドル１６には、人体が触れることに応答して接触信号を生成する接触検知センサ（図示せず）が設けられている。当該接触検知センサから出力される接触信号は、パチンコ機１０の背面側に設けられた制御装置（図示せず）に入力される。
【００１６】
また、ハンドル１６には、所定の角度範囲内で回動自在な打出調整部１７が設けられている。打出調整部１７は、パチンコ機１０の背面側に設けられた遊技球の発射装置（図示せず）を駆動せしめる操作スイッチになっており、打出調整部１７を基準位置から時計回り方向に回動せしめることによって該発射装置が作動するようになっている。打出調整部１７は、バネ等の弾性体により反時計回り方向への付勢力が付与されており、待機状態においては基準位置に位置している。基準位置とは打ち出し調整部１７の回動量がゼロである位置をいい、かかる位置に打出調整部１７が位置している場合には、遊技球は遊技盤１２の遊技領域１２ａに打ち出されないようになっている。
【００１７】
遊技盤１２には、遊技球の流下方向を変化せしめる多数の遊技釘（図示せず）が植設され、更には、風車等の役物（図示せず）が設けられている。また、遊技盤１２の最下部には入賞しなかった遊技球を回収するアウト口（図示せず）が設けられている。
【００１８】
また、遊技盤１２のほぼ中央には、センター役物が設けられており、例えばセンター役物は、いわゆる特別電動役物等の入賞領域を有する入賞装置１８である。入賞装置１８は、当該機構内への遊技球の通過の許否を振り分ける1対の羽根１９ａ、１９ｂ、遊技球のＶ入賞の許否を振り分ける振り分け装置２０、振り分け装置２０に遊技球を順次供給する貯留供給部２１、入賞した遊技球を貯留供給部２１まで導入する導入路２２、Ｖ入賞口２３及び一般入賞口２４を有する。
【００１９】
羽根１９ａ、１９ｂは、遊技盤１２に設けられた始動口すなわちチャッカー２５ａ、２５ｂ、２５ｃを通過することを契機として開閉することとしても良い。例えば、各チャッカーには、通過検知センサ（図示せず）が備えられ、遊技球の球検知信号を後述する制御装置に送信することを可能とし、制御装置は、メインチャッカー２５ａの球検知信号を受信した場合には羽根１９ａ、１９ｂを2回開き、サブチャッカー２５ｂ、２５ｃの球検知信号を受信した場合には羽根１９ａ、１９ｂを1回開くこととしても良い。羽根１９ａ、１９ｂが開状態にあるときに、遊技球を入賞装置１８内に導くことが可能になる。
【００２０】
貯留供給部２１と導入路２２とは、接続されている故、入賞装置１８内に導かれた遊技球のいずれもが貯留供給部２１に到達する。また、振り分け装置２０によって遊技球は、Ｖ入賞するか否かに振り分けられ、後述する振り分け装置２０の一部である振り分け溝部に隣接するＶ入賞口２３若しくは、入賞装置１８の下方に設けられた一般入賞口２４に導かれる。
【００２１】
次に、図２及び図３を参照しつつ貯留供給部２１及び振り分け装置２０の１例について詳細に説明する。
【００２２】
図２及び図３に示されているように、貯留供給部２１は、導入路２２から導入された遊技球を後述する遊技球保持桶に供給する所定の傾斜を持つ供給路３１と、供給路３１上に遊技球を貯留する貯留棒３２と、遊技球の貯留を解除する貯留解除装置３４と、貯留棒３２を及び貯留解除装置３４を移動自在又は回動自在に支持する貯留装置基盤３３と、から構成されている。例えば、貯留解除装置３４は、所定のタイミングにて貯留棒３２を略上方へ移動することで、遊技球を後述する遊技球保持桶に順次供給することとしても良い。貯留解除のタイミングについては、後ほど詳細に説明する。なお、貯留供給部２１の配置場所は、右側上部に限られること無く、遊技球保持桶に遊技球を供給することができればいずれの場所でも良い。
【００２３】
供給路３１の幅は、遊技球の直径とほぼ等しい（すなわち、遊技球が１個通過することができる幅）ことに限られることなく、遊技球の直径よりも大きく（例えば、遊技球の直径の約２倍）することで、貯留棒３２による遊技球の貯留位置を遊技盤１２に対してよぎる方向に種々の位置で貯留することが出来る。供給路３１には、導入された遊技球の供給路３１からの落下を防止するための溝（図示せず）を供給路３１の頂面に設けても良い。また、供給路３１に落下防止用の側壁を設けても良い。
【００２４】
貯留棒３２は、遊技盤１２をよぎる方向に一端が貯留装置基盤３３によって支持され、かつ所定方向への移動が可能である。貯留棒３２の支持方法及び所定方向への移動については、後ほど詳細に説明する。
【００２５】
貯留解除装置３４は、第１貯留解除棒３４ａ、第２貯留解除棒３４ｂ及び貯留解除軸３４ｃによって構成されている。第１貯留解除棒３４ａ及び第２貯留解除棒３４ｂは所定の角度を保ちかつ貯留解除軸３４ｃを回転中心軸として回転自在に貯留装置基盤３３に支持されている。また、第１貯留解除棒３４ａ及び第２貯留解除棒３４ｂは、遊技盤１２の盤面と平行方向（すなわち、貯留棒３２と交差する方向）に設けられている。
【００２６】
振り分け装置２０は、回転盤３５と、回転盤３５の外周に沿って所定の間隔で設けられた複数の遊技球保持桶３６と、遊技球保持桶３６の姿勢を変更して遊技球保持桶３６に保持された遊技球を排出して振り分けるための振り分け溝部３７と、を有している。例えば、振り分け溝部３７は、遊技球をＶ入賞させるか否かの振り分けを行なう振り分け溝路３８と、遊技球保持桶３６から振り分け溝路３８に遊技球を誘導する誘導路３９と、から構成されている。回転盤３５の裏面には駆動ロッド４０ａを介して駆動装置４０ｂが接続されている。駆動装置４０ｂは、回転盤３５を一定の回転周期にて回転せしめる。例えば、駆動装置４０ｂは、電動モータで駆動されるギアトレインを含むドライブ機構あっても良い。例えば、回転盤３５は図２の矢印の方向（時計周り）に回転することとしても良い。従って、遊技球保持桶３６の巡回軌跡は、回転盤３５の回転により環状となる。遊技球保持桶３６の巡回軌跡を環状とする方法は回転盤３５を用いることに限られず、例えばレールを用いて遊技球保持桶３６を環状に巡回させて良い。
【００２７】
また、回転盤３５の裏面には、貯留供給部２１による貯留を解除するタイミングを知らせるための貯留解除告知棒４１が固着されている。貯留解除告知棒４１は、各遊技球保持桶３６から所定の距離だけ離れた位置に固着されている。所定の位置とは、貯留供給部２１に貯留された遊技球を遊技球保持桶３６にほぼ確実に供給することができるタイミングに適した位置である。従って、貯留供給部２１、貯留解除装置３４及び遊技球保持桶３６の配置のバランス等によって決定される。なお、遊技球保持桶３６は、６個に限られることなく、遊技球のＶ入賞確率に応じて数量を変えても良い。
【００２８】
また、回転盤３５の主面側（すなわち遊技者から目視可能な面）には、パチンコ機１０の設定に合わせて、水車、風車、観覧車等をデザインすることで遊技者の興味を引き付けることが可能となる。
【００２９】
次に、貯留供給部２１の貯留解除の動作について図４を参照しつつ詳細に説明する。
【００３０】
図４に示されているように、貯留装置基盤３３には、貯留棒３２が第１貯留解除棒３４ａによって押し上げられるように貫通孔４２が設けられている。貫通孔４２の幅は、貯留棒３２の直径とほぼ同じ大きさであり、貯留棒３２がスムーズに移動することができる大きさである。また、貫通孔４２は、貯留棒３２の移動経路（すなわち、貯留解除軸３４ｃと、貯留棒３２の第１貯留解除棒３４ａとの接点と、を半径とする弧線）に沿って設けられている。貯留棒３２は、貫通孔４２に一端が差し込まれ、貫通孔４２から貯留棒３２が外れないように貯留装置基盤３３の両側面から貫通孔４２の直径よりも大きい保持具（図示せず）によって保持されても良い。
【００３１】
図４（ａ）は、遊技球を保持している状態を示した図であり、貯留解除告知棒４１と第２貯留解除棒３４ｂとは接触していない。また、貯留棒３２は、遊技球及び貯留棒３２自身の重さによって貫通孔４２の下方（すなわち貯留位置）に位置している。
【００３２】
回転盤３５が回転することにより、貯留解除告知棒４１は、破線矢印の方向に移動し、第２貯留解除棒３４ｂと接触する。第２貯留解除棒３４ｂは、貯留装置基盤３３に回転自在に取り付けられている故、貯留解除告知棒４１の回転盤３５の回転に伴う移動に合わせ、貯留解除軸３４ｃを回転軸として破線矢印の方向に回転をする。また、第１貯留解除棒３４ａと第２貯留解除棒３４ｂとは、所定の角度を設けて固定されている故、第２貯留解除棒３４ｂの回転に合わせ、貯留解除軸３４ｃを回転軸として第１貯留解除棒３４ａも破線矢印の方向に回転する。さらに、第１貯留解除棒３４ａは、貯留棒３２と接触し、貯留棒３２を貫通孔４２に沿って移動せしめられ、図４（ｂ）によって示される貯留解除位置に位置する。
【００３３】
従って、貯留棒３２が貯留解除位置に移動する故、貯留棒３２と供給路３１との距離が広がり、遊技球が供給路３１上を転動し、遊技球保持桶３６へと順次供給される。なお、遊技球の供給完了後に、貯留解除告知棒４１と第２貯留解除棒３４ｂとが離れるように調整することで、遊技球の供給後に再び貯留棒３２は自身の重さにより自動的に貯留位置へ移動する。
【００３４】
なお、貯留供給部２１は、遊技球保持桶３６の検知を行なうセンサ（図示せず）を設け、遊技球保持桶３６の検知信号に応じて制御装置が貯留を解除する機構を用いても良い。
【００３５】
次に、遊技保持桶３６の形状について図２、図５及び図６を参照しつつ詳細に説明する。
【００３６】
図２、図３及び図５（ａ）に示されているように、遊技球保持桶３６は、遊技球を保持するための保持桶３６ａと、保持桶３６を回転盤３５の所定の位置に保持しかつ回転自在にするための保持桶回転軸３６ｂと、保持桶３６ａと保持桶回転軸３６ｂとを接続させるための接続アーム３６ｃから構成されている。遊技球保持桶３６は保持桶回転軸３６ｂを備えている故、回転盤３５の回転に伴って移動した場合でも常に、保持桶３６ａが保持桶回転軸３６ｂよりも下方に位置する。
【００３７】
図５（ｂ）は、遊技盤１２の盤面と平行方向の遊技球保持桶３６の断面図を示している。図５（ｂ）に示されているように、保持桶３６ａの遊技球を保持する主面は、中央に向けて下り傾斜のある面である。従って、保持桶３６ａに保持される遊技球は、遊技盤１２と平行方向において常に保持桶３６ａの中央に位置するように保持される。かかる保持桶３６ａの主面の傾斜は、後述する遊技球保持桶３６の回転時において、誘導路３９を介して遊技球を振り分け溝路３８へ誘導を容易にしている。
【００３８】
また、保持桶３６ａの外形は三角柱形状となっており、遊技球保持桶３６と誘導路３９とが接触した際に、遊技球保持桶３６の姿勢を容易に変更することが出来る。なお、図２に示されているように、遊技球保持桶３６は、正面からは直方体に見えるように四角形の板を貼り付けても良い。
【００３９】
図５（ｃ）は、遊技盤１２をよぎる方向の遊技球保持桶３６の断面図を示している。図５（ｃ）に示されているように、保持桶３６ｂの遊技球の保持側である主面には、遊技球を常に左側（すなわち遊技盤１２に近接する位置）に保持するように傾斜している。
【００４０】
また、保持桶３６ａの遊技盤１２をよぎる方向の断面図は図５（ｃ）に図示される形状に限られず、例えば、保持桶３６ａの主面の形状を図６に示される形状のようにしても良い。図６（ａ）に示されている保持桶３６ａの主面は、図５（ｃ）に示されている保持桶３６ａの主面の傾斜とは逆に、遊技球を常に右側（すなわち遊技盤１２から離れた位置）に保持するように傾斜している。
【００４１】
図６（ｂ）に示されている保持桶３６ａの主面は、傾斜がなく平坦である。図６（ｂ）に示される場合には、遊技球は保持桶３６ａの主面上を遊技盤１２をよぎる方向に移動可能となり、貯留供給部２１からの遊技球の供給方向及び遊技球保持桶３６の挙動に応じて、遊技球の保持位置が変化する。従って、図６（ａ）の保持桶３６ａとは異なり、振り分け溝路３８への遊技球の誘導は、遊技盤１２の盤面をよぎる方向に変化する。
【００４２】
図６（ｃ）に示されている保持桶３６ａの主面は、中央に向けてゆるやかな傾斜を有する弧状である。図６（ｃ）に示される場合には、遊技球が中央で保持される可能性が高くなり、また、遊技球は保持桶３６ａの主面上を移動することも可能であるため、振り分け溝路３８への遊技球の誘導は常に一定ではなくなる。
【００４３】
上述した異なる主面の形状を有する複数の保持桶３６ａを備えることで、遊技盤１２の盤面をよぎる方向に異なる位置で遊技球を保持することが可能となる。異なる主面の形状を有する複数の保持桶３６ａの組み合わせは、Ｖ入賞の確率に応じて決定することが可能である。
【００４４】
次に、誘導路３９について図２を参照しつつ詳細に説明する。
【００４５】
誘導路３９は、回転盤３５に隣接しかつ遊技球保持桶３６と接触する位置に設けられている。例えば、誘導路３９は、図２に示されているように右側下方に設けられていても良い。誘導路３９は、振り分け溝路３８に遊技球を誘導するために、振り分け溝路３８に向かって下りの傾斜を備えるように設けられている。誘導路３９は、遊技盤１２の盤面をよぎる方向に移動自在であって、遊技球保持桶３６が誘導路３９に近づいた時に回転盤３５の主面よりも遊技者側に押し出され、所定時間経過後再び誘導路３９を回転盤３５よりも内部に引き込まれることが可能である。例えば、回転盤３５の駆動装置４０ｂからの動力をカム（図示せず）に伝達し、カムの回転に伴い誘導路３９を押し出すこととしても良い。誘導路３９の内部への引き込みは、弾性体（例えばゴム等）を用いることで内部に引き込むこととしても良い。
【００４６】
上記誘導路３９の構成によって、遊技球保持桶３６と誘導路３９とが一定の期間のみ接触する。遊技球保持桶３６は、誘導路３９と接触すると、回転盤３５の回転に伴い保持桶回転軸３６ｂを中心として振り分け溝路３８へ遊技球を誘導するように姿勢を変更する（すなわち遊技球保持桶３６の右側が下がる）。遊技球保持桶３６が傾くことにより、保持されていた遊技球は誘導路３９を経由して振り分け溝路３８に誘導される。遊技球の誘導が完了すると再び誘導路３９は内部へ引き込まれ、遊技球保持桶３６は、通常の姿勢（すなわち、保持桶３６ａが水平な状態）に戻る。
【００４７】
次に振り分け溝路３８の構成について図２及び図７を参考にしつつ詳細に説明する。
【００４８】
図７（ａ）に示されているように、振り分け溝路３８は、誘導路３９と隣接しかつ遊技盤１２の盤面をよぎる方向において並置されて設けられている。例えば、振り分け溝路３８は、図２に示されているように右側下方に設けられていても良い。振り分け溝路３８は、Ｖ入賞口２３若しくは一般入賞口２４に遊技球を誘導するために、Ｖ入賞口２４に向かって下りの傾斜を備えるように設けられても良い。また、振り分け溝路３８は、遊技球が振り分け溝路３８から落下しないように壁７１、７２を備えている。
【００４９】
図７（ｂ）に示されているように、振り分け溝路３８の遊技球が転動する主面は、中央部から壁７１、７２に向かって下り傾斜になっている故、振り分け溝路３８の底部断面形状は中央部が高くなった形状である。従って、振り分け溝路３８は２つの溝３８ａを有する。振り分け溝路３８に誘導された遊技球は、壁７１側若しくは壁７２側（すなわち、遊技盤１２に近接側若しくは遊技者に近接する側）のいずれか一方に振り分けられ、壁７１若しくは壁７２に沿って振り分け溝路３８の上流から下流へ転動する。かかる遊技球の転動経路を図７（ａ）に破線矢印にて示す。なお、振り分け溝路３８の底部断面形状は、三角形状の突起であることが好ましいが、溝を形成することが可能であれば、例えば弧状であっても良い。
【００５０】
また、Ｖ入賞口２３は、いずれか一方の経路先にのみ設けられている。例えば、図７（ａ）で示されるように、壁７１側の先にＶ入賞口２３を設けた場合に、壁７１に沿って転動する遊技球はＶ入賞するが、壁７２に沿って転動する遊技球はＶ入賞することなく下方に落下し、一般入賞口２４に導かれる。
【００５１】
従って、振り分け溝路３８が上記構造を有することから、遊技球保持桶３６の保持位置によってＶ入賞するか否かの確率が大きく異なる。すなわち、遊技球保持桶３６において遊技盤１２に近接する側に保持されれば（図５（ｃ）の状態）、壁７１側に誘導される可能性が高くなり、Ｖ入賞する確率も高くなる。
【００５２】
なお、振り分け溝路３８は上記構成に限られることなく、３以上の溝を有する構成であっても良い。
【００５３】
次に、本実施例のパチンコ機１０の制御装置８０の動作について図８を参照しつつ説明する。図８に示されているように、制御装置８０は、マイクロコンピュータ等からなり遊技機の遊技動作の制御を行う。
【００５４】
制御装置８０は、ハンドル１６に設けられた接触検知センサ８１からの接触検知信号及びハンドル１６の操作状況の信号を受信する。制御装置８０は、接触検知センサ８１及びハンドル１６からの信号に基づいて発射装置８２を駆動させる。
【００５５】
制御装置８０は、各チャッカーに設けられた通過検知センサ８３ａ〜８３ｃから通過検知信号を受信すると、羽根１９ａ、１９ｂを複数回にわたって開閉させるために羽根開閉機構８４を制御する。
【００５６】
また、制御装置８０は、Ｖ入賞口に設けられた大当たりを検知するＶ入賞検知センサ８５からＶ入賞検知信号を受信する。制御装置８０は、かかるＶ入賞検知信号を受信することで大当たり状態であることを検知し、各チャッカーを遊技球が通過したときと同様に、羽根１９ａ、１９ｂを複数回にわたって開閉させるために羽根開閉機構８４を制御する。さらに、制御装置８０は、一般入賞口２４に設けられた一般入賞検知センサ８６から球排出検知信号を受信する。制御装置８０は、かかる排出球検知信号を受信すると、賞球払出装置８７から賞球を払い出す制御を行う。
【００５７】
また、制御装置８０は、駆動装置４０ｂによる回転盤３５の回転及び誘導路３９の遊技盤１２をよぎる方向への移動を制御すべく駆動制御を行なう。さらに、制御装置８０は、遊技状態の変化に伴ってランプ等の電飾装置８８等を制御する。
【００５８】
次に、図９のフローチャートを参照して、遊技者が遊技球を遊技領域１２ａに打ち出した場合のパチンコ機１０の動作を説明する。
【００５９】
遊技者は入賞装置１８の羽根１９ａ、１９ｂを開けるためにチャッカー２５ａ、２５ｂ、２５ｃを狙う（ステップＳ１）。遊技球がチャッカー２５ａ、２５ｂ、２５ｃのいずれかに入ると（ステップＳ２：ＹＥＳ）、羽根１９ａ、１９ｂが一定時間だけ開く（ステップＳ３）。羽根１９ａ、１９ｂが開いている間に遊技者は遊技球を羽根１９ａ、１９ｂに向けて打ち出すと、１つあるいは複数の遊技球が入賞装置１８の中に入る（ステップＳ４）。なお、羽根１９ａ、１９ｂは遊技球が入賞装置１８に導入されたか否かに係らず所定時間後に閉じる。入賞装置１８の中に入った遊技球は、導入路２２を経て貯留供給部２１まで導かれ保持される（ステップＳ５）。
【００６０】
回転盤３５の回転に伴って貯留解除装置３４が作動し貯留が解除される（ステップＳ６）。貯留供給部２１による貯留が解除されると遊技球保持桶３６に遊技球が供給される（ステップＳ７）。遊技球保持桶３６による遊技球の保持位置は、貯留供給部２１による貯留位置、遊技球保持桶３６の主面の形態によって異なってくる。
【００６１】
回転盤３５の回転に伴って、遊技球を保持した遊技球保持桶３６が誘導路３９との接触位置まで移動すると遊技球保持桶３６と誘導路３９とが接触し、遊技球保持桶３６の姿勢が変更され遊技球が誘導路３９に排出される（ステップＳ８）。誘導路３９に到達した遊技球は、振り分け溝路３８に誘導される（ステップＳ９）。振り分け溝路３８に誘導された遊技球は、振り分け溝路３８のいずれか一つの溝を転動しＶ入賞口２３又は一般入賞口２４に入る（ステップＳ１０）。Ｖ入賞口２３に入れば大当たりとなり（ステップＳ１１）、所定数の遊技球の払出し若しくは羽根１９ａ、１９ｂを複数回開く。一般入賞口２４に入ると所定数（Ｖ入賞よりも少ない数）の遊技球を払い出す（ステップＳ１２）。その後、再び遊技球をＶ入賞されるべくステップＳ１に戻り、同様の動作を行なう。
【００６２】
以上のように、本発明の実施例の遊技機の役物は、遊技盤の盤面をよぎる方向に互いに異なる位置に遊技球を保持することが出来える遊技球保持桶と、遊技球保持桶から誘導された遊技球を振り分ける振り分け溝部と、を備える故、遊技球の振り分け結果に変化を生ぜしめつつ遊技球がＶ入賞するか否かの結果を予想することが困難とすることで、遊技者の興趣を維持しかつ高揚せしめることが可能である。
【実施例２】
【００６３】
実施例１における振り分け溝路以外の構成は同様とし、振り分け溝路のみについて、その上流に一部の平坦面を有しても良い。かかる振り分け溝路について図１０を参照しつつ詳細に説明する。
【００６４】
図１０に示されているように、振り分け溝路９１は、落下防止用の壁９２及び壁９３が設けられている。図１０（ｂ）及び図１０（ｃ）に示されているように、振り分け溝路９１の遊技球が転動する主面の形状は、中央部分に一部に平坦面９１ａを有している。また、平坦面９１ａ以外の振り分け溝路９１の主面は、壁９１、９２に向かって下り傾斜になっている。従って、振り分け溝路９１は２つの溝９１ｂを有する。
【００６５】
図１０（ａ）から（ｃ）に示されているように、平坦面９１ａは、上流（すなわち、誘導路３９に隣接する側）においては一定の幅であるが、振り分け溝路９１の略中央付近から下流（すなわちＶ入賞口２３に隣接する側）に進むにつれて徐々に幅が狭くなっている。振り分け溝路９１の上流から下流に約３／４進んだ位置で平坦部９１ａはなくなり（以下、平坦面９１ａのなくなる位置を終点９１ｃと称する）、図１０（ｄ）で示されているように、終点９１ｃにおける振り分け溝路９１の底部断面形状は中央部が高くなった形状である。
【００６６】
振り分け溝路９１は上述した形状を有する故、振り分け溝路９１に誘導された遊技球は、誘導される位置によって振り分け先が異なる。すなわち、壁９２若しくは壁９３付近に誘導された遊技球は、それぞれの壁に沿って転動する。また、振り分け溝路９１の中央部に誘導された遊技球は平坦面９１ａ上を転動し、終点９１ｃ付近で壁９２若しくは壁９３のいずれかに向かって転動する。かかる場合における遊技球の経路を図１０（ａ）に破線矢印で示す。
【００６７】
なお、終点９１ｃの位置は上記部分に限られることなく、Ｖ入賞の確率に応じて位置を変えても良い。
【図面の簡単な説明】
【００６８】
【図１】本発明の実施例を含む遊技機の外観正面図である。
【図２】本発明の実施例の一部である振り分け装置及び貯留供給部の正面図である。
【図３】本発明の実施例の一部である振り分け装置及び貯留供給部の平面図である。
【図４】（ａ）は貯留供給部の貯留状態を示す斜視図、（ｂ）は貯留供給部の貯留解除状態を示す斜視図である。
【図５】（ａ）は遊技球保持桶の平面図、（ｂ）は図５（ａ）の５b−５ｂ一点鎖線に沿った断面を示す断面図、（ｃ）は図５（ａ）の５ｃ−５ｃ一点鎖線に沿った断面を示す断面図である。
【図６】（ａ）は他の遊技球保持桶における図５（ａ）の５ｃ−５ｃ一点鎖線に沿った断面を示す断面図、（ｂ）は他の遊技球保持桶における図５（ａ）の５ｃ−５ｃ一点鎖線に沿った断面を示す断面図、（ｂ）は他の遊技球保持桶における図５（ａ）の５ｃ−５ｃ一点鎖線に沿った断面を示す断面図である。
【図７】（ａ）は振り分け溝路の平面図、（ｂ）は図７（ａ）の７ｂ−７ｂ一点鎖線に沿った断面を示す断面図である。
【図８】本発明の実施例による遊技機の制御装置のブロック図である。
【図９】図１のパチンコ機の動作を示すフローチャートである。
【図１０】（ａ）は他の振り分け溝路の平面図、（ｂ）は図１０（ａ）の１０ｂ−１０ｂ一点鎖線に沿った断面を示す断面図、（ｃ）は図１０（ａ）の１０ｃ−１０ｃ一点鎖線に沿った断面を示す断面図、（ｄ）は図１０（ａ）の１０ｄ−１０ｄ一点鎖線に沿った断面を示す断面図である。
【符号の説明】
【００６９】
１０  パチンコ機（遊技機）
１２  遊技盤
１８  入賞装置
２０  振り分け装置
２１  貯留供給部
２２  導入路
３５  回転盤
３６  遊技球保持桶
３８  振り分け溝路
３９  誘導路
【図１】
2008220401.tif 000003
【図２】
2008220401.tif 000004
【図３】
2008220401.tif 000005
【図４】
2008220401.tif 000006
【図５】
2008220401.tif 000007
【図６】
2008220401.tif 000008
【図７】
2008220401.tif 000009
【図８】
2008220401.tif 000010
【図９】
2008220401.tif 000011
【図１０】
2008220401.tif 000012